【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
実行されると市場エコシステムに対する消費者トランザクションの価値を決定する方法を実行するコンピューター実行可能命令を含む具体化されたシステムをその上に有する、コンピューター記憶媒体であって、前記システムは、
市場エコシステムに影響を及ぼす購入でない消費者トランザクションに関連した情報を得て、データ記憶部に前記情報を格納する、監視コンポーネントと、
前記市場エコシステムに関して前記トランザクションの総計の経済的価値を決定する評価コンポーネントとを含み、
前記総計の経済的価値は、
前記データ記憶部内の前記情報、及び
前記トランザクションにおける各者に対する利益の総計の量及び前記市場エコシステムに関連付けられるが前記トランザクションを促進せず且つ前記トランザクションに直接的に関与しなかった少なくとも１つの第三者に対する利益の総計の量
に少なくとも部分的に基づき、前記トランザクションに関与する者及び前記少なくとも１つの第三者に対する利益は前記トランザクションの結果であり、前記システムは、
前記トランザクションに関与する消費者に対して前記総計の経済的価値のシェアを還元するインセンティブコンポーネントを含む、コンピューター記憶媒体。
【請求項２】
前記エコシステムは、消費者に前記エコシステムを助成するように促す請求項１記載の媒体。
【請求項３】
前記購入でないトランザクションは、前記エコシステムに含まれる製品に関連付けられる評価、前記製品に関連付けられるレビュー、第２の製品の推奨、レビュアーの推奨又は前記情報の一部を共有する旨の同意のうちの少なくとも１つである請求項１記載の媒体。
【請求項４】
前記情報は、前記トランザクションに関与する消費者に関連付けられた識別子、前記トランザクションの時間、前記トランザクションの種類、前記トランザクションに関連付けられた価格、前記消費者の購入履歴又は前記消費者の人口統計学データを含む請求項１記載の媒体。
【請求項５】
前記エコシステムは製品のブランド又は競合製品の小売業者のうち少なくとも１つの観点から定義される請求項１記載の媒体。
【請求項６】
前記監視コンポーネントはまた、前記市場エコシステムに影響を及ぼす消費者購入トランザクションに関連付けられる情報を得て、前記情報を前記データ記憶部に格納し、
前記評価コンポーネントは、前記市場エコシステムに関して、前記消費者購入トランザクションの総計の経済的価値を決定し、
前記総計の経済的価値は、
前記消費者購入トランザクションに関連付けられる前記データ記憶部内の前記情報、及び
前記消費者購入トランザクションにおける各者に対する利益の総計の量及び前記市場エコシステムに関連付けられるが前記消費者購入トランザクションを促進せず且つ前記消費者購入トランザクションに直接的に関与しなかった少なくとも１つの第三者に対する利益の総計の量
に少なくとも部分的に基づき、前記消費者購入トランザクションに関与する者及び前記少なくとも１つの第三者に対する利益は前記消費者購入トランザクションの結果であり、
前記インセンティブコンポーネントは、前記トランザクションに関与する消費者に対して前記消費者購入トランザクションの総計の経済的価値のシェアを還元する請求項１記載の媒体。
【請求項７】
前記シェアは金銭的報酬又は購入割引のうち少なくとも１つとして還元される請求項１記載の媒体。
【請求項８】
前記システムは、前記エコシステムに影響を及ぼす他の消費者に関して前記トランザクションに関与する消費者のランクを決定する合計コンポーネントをさらに含む請求項１記載の媒体。
【請求項９】
前記ランクは消費者に関連付けられた経済的価値の総計に基づいて決定される請求項８記載の媒体。
【請求項１０】
前記合計コンポーネントは、忠誠心の階層の組を定義し、前記ランクに基づいて消費者を前記忠誠心の階層に振り分ける請求項８記載の媒体。
【請求項１１】
前記総計の経済的価値のシェアは前記忠誠心の階層に比例して消費者に還元される請求項１０記載の媒体。
【請求項１２】
実行されると市場エコシステムに対する消費者トランザクションの値を決定する方法を実行するコンピューター実行可能命令を格納する、１つ以上のコンピューター記憶媒体であって、前記方法は、
エコシステムに影響を及ぼす消費者トランザクションに関係するデータを受け取るステップと、
データ記憶部に前記データを記録するステップと、
前記トランザクションについて前記エコシステムに対する総計の経済的価値を計算するステップとを含み、
前記総計の経済的価値は、
前記データ記憶部内の前記データ、及び
前記トランザクションにおける各者に対する利益の総計の量及び前記市場エコシステムに関連付けられるが前記トランザクションを促進せず且つ前記トランザクションに直接的に関与しなかった少なくとも１つの第三者に対する利益の総計の量
に少なくとも部分的に基づき、前記トランザクションに関与する者及び前記少なくとも１つの第三者に対する利益は前記トランザクションの結果であり、前記第三者は別の消費者又は商業的団体であり、前記方法は、
前記総計の経済的価値に基づいて、前記トランザクションに関連付けられる消費者に対して金銭的報酬又は補助金のうち少なくとも１つを割り当てるステップを含む、１つ以上のコンピューター記憶媒体。
【請求項１３】
前記方法は、製品のブランドの制作者又は競合製品の小売業者のうち少なくとも１つに関して前記エコシステムを定義するステップをさらに含む請求項１２記載の媒体。
【請求項１４】
前記トランザクションは、前記エコシステムに含まれる製品の購入、前記製品に関連付けられる評価、前記製品に関連付けられるレビュー、第２の製品の推奨、レビュアーの推奨又は前記情報の一部を共有する旨の同意のうちの少なくとも１つである請求項１２記載の媒体。
【請求項１５】
前記方法は、
前記消費者に関連したすべてのトランザクションに対する価値を合計するステップ、
前記消費者についての総計ランキングを、前記エコシステムに影響を及ぼす異なる消費者と比較して決定するステップ、
忠誠心の階層の組を定義するステップ、
前記総計ランキングに基づいて、前記消費者を前記忠誠心の階層の組のうちのある忠誠心の階層に分類するステップ、及び
前記割り当てるステップのために前記忠誠心の階層を使用するステップ
のうち少なくとも１つをさらに含む請求項１２記載の媒体。
【請求項１６】
実行されると市場エコシステムの観点から消費者トランザクションを評価する方法を実行するコンピューター実行可能命令を格納する、１つ以上のコンピューター記憶媒体であって、前記方法は、
少なくとも１つの購入でない消費者トランザクションを含む、エコシステムに影響を及ぼす消費者トランザクションに関連するデータを得るステップを含み、
前記消費者トランザクションのうち少なくとも２つは、前記エコシステムに含まれる製品の単独の購入に関連し、
前記単独の購入に関連する前記少なくとも２つの消費者トランザクションは、前記製品の購入、前記製品に関連付けられる評価、前記製品に関連付けられるレビュー、第２の製品の推奨、レビュアーの推奨及び前記情報の一部を共有する旨の同意のうちの少なくとも２つであり、前記方法は、
前記データをデータ記憶部に格納するステップと、
前記データを使用して、トランザクションの各々により前記エコシステムに与えられる総計の経済的価値を決定するステップと
を含み、
前記総計の経済的価値は、
前記データ記憶部内の前記データ、及び
前記トランザクションにおける各者に対する利益の総計の量及び前記市場エコシステムに関連付けられるが前記トランザクションを促進せず且つ前記トランザクションに直接的に関与しなかった少なくとも１つの第三者に対する利益の総計の量
に少なくとも部分的に基づき、前記トランザクションに関与する者及び前記少なくとも１つの第三者に対する利益は前記トランザクションの結果であり、前記方法は、
各消費者に関連付けられる前記総計の経済的価値に従ってトランザクションに関与する消費者をランク付けするステップと、
前記消費者により前記エコシステムに与えられる前記総計の経済的価値の一部を各消費者に還元するステップとを含む、１つ以上のコンピューター記憶媒体。
【請求項１７】
前記方法は、
忠誠心の階層の組を定義するステップと、
ランクに基づいて消費者を前記忠誠心の階層に振り分けるステップと
を含み、
各消費者に還元される前記総計の経済的価値の一部は、消費者の忠誠心の階層に比例する請求項１６記載の媒体。
【請求項１８】
前記トランザクションはトランザクションの種類を有し、前記トランザクションの前記総計の経済的価値は、前記トランザクションの種類が不足しているか又は豊富であるかに依存して変化する請求項１記載の媒体。
【請求項１９】
前記トランザクションの前記総計の経済的価値は、前記トランザクションに関与する消費者がリピート客であるか又は新規の客であるかに依存して変化する請求項１記載の媒体。
【請求項２０】
前記トランザクションは、第２の消費者によりなされた製品のレビューに基づく前記第２の消費者についての第１の消費者のレビュー又は第２の消費者によりなされた製品のレビューへの第１の消費者のアクセスのうちの一方である請求項１記載の媒体。